【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
（ａ）光反応性組成物を提供する工程であって、前記光反応性組成物が、
（１）酸又はラジカル開始化学反応を受けることが可能な少なくとも１つの反応性種と、
（２）少なくとも１つの多光子光開始剤系とを含む光反応性組成物と、を提供する工程、及び
（ｂ）前記組成物の少なくとも一部を少なくとも２つの光子を同時に吸収させるのに十分な光に撮像的に暴露する工程を含むプロセスであって、これにより少なくとも１つの酸又はラジカル開始化学反応を誘導し、前記組成物が、前記光に曝露され、前記撮像的暴露が、複数個のマイクロレンズの少なくとも表面を画定するのに有効なパターンで行われ、前記マイクロレンズのそれぞれが、主軸線及び焦点距離を有し、少なくとも１つのマイクロレンズが非球形状である、撮像的暴露プロセス。
【請求項２】
（ａ）光反応性組成物を提供する工程であって、前記光反応性組成物が、
（１）酸又はラジカル開始化学反応を受けることが可能な少なくとも１つの硬化性種と、
（２）光化学的有効量の
（ｉ）フルオレセインより大きい二光子吸収断面を有する多光子光増感剤、
（ｉｉ）所望によりアルキルアリールホウ酸塩類、三級芳香族アルキルアミン類及びこれらの混合物から選択される少なくとも１つの電子供与体、及び
（ｉｉｉ）ヨードニウム塩類、スルホニウム塩類及びこれらの混合物から選択される少なくとも１つの光開始剤、とを包含する少なくとも１つの多光子光開始剤系を含む、工程と、
（ｂ）前記組成物の少なくとも一部を少なくとも２つの光子を同時に吸収させるのに十分な光に撮像的に暴露する工程であって、これにより少なくとも１つの酸又はラジカル開始化学反応を誘導し、前記組成物が、前記光に曝露され、前記撮像的暴露が、少なくとも１つの非球形状マイクロレンズを含む複数個のマイクロレンズの少なくとも表面を画定するのに有効なパターンで行われ、前記マイクロレンズのそれぞれが、主軸線及び焦点距離を有し、少なくとも１つのマイクロレンズの前記主軸線及び前記焦点距離の少なくとも１つが、少なくとも１つの他の前記マイクロレンズと異なる、撮像的暴露工程と、
（ｃ）前記組成物の生じた非暴露部分の少なくとも一部を除くことにより前記組成物を顕色する工程と、を含むプロセス。
【請求項３】
マイクロレンズの少なくとも１つが非球形状であり、前記マイクロレンズのそれぞれが主軸線を有し、少なくとも１つの前記マイクロレンズの前記主軸線が少なくとも１つの他の前記マイクロレンズと異なる、複数個のマイクロレンズ。
【請求項４】
前記マイクロレンズの少なくとも大部分が、主軸線と、１ミリメートル未満の直径と、１０未満のｆ数を有し、前記複数個のマイクロレンズが、５０〜１００パーセントの範囲内のフィルファクタを有し及び前記主軸線の対称変化を示す、複数個の非球形状マイクロレンズ。
【手続補正２】
【補正対象書類名】明細書
【補正対象項目名】０１３７
【補正方法】変更
【補正の内容】
【０１３７】
本出願では、以下の態様が提供される。
１．  （ａ）光反応性組成物を提供する工程であって、前記光反応性組成物が、（１）酸又はラジカル開始化学反応を受けることが可能な少なくとも１つの反応性種と、（２）少なくとも１つの多光子光開始剤系とを含む光反応性組成物と、を提供する工程、及び（ｂ）前記組成物の少なくとも一部を少なくとも２つの光子を同時に吸収させるのに十分な光に撮像的に暴露する工程を含むプロセスであって、これにより少なくとも１つの酸又はラジカル開始化学反応を誘導し、前記組成物が、前記光に曝露され、前記撮像的暴露が、複数個のマイクロレンズの少なくとも表面を画定するのに有効なパターンで行われ、前記マイクロレンズのそれぞれが、主軸線及び焦点距離を有し、少なくとも１つのマイクロレンズが非球形状である、撮像的暴露プロセス。
２．  前記プロセスが、前記組成物の生じた暴露部分又は生じた非暴露部分を除くことにより前記組成物を顕色する工程を更に含む、態様１に記載のプロセス。
３．  前記プロセスが、前記組成物の少なくとも一部を撮像的に暴露した後、前記組成物の少なくとも一部を任意の残りの未反応光反応性組成物の少なくとも一部が反応するのに十分な光に非撮像的に暴露する工程を更に含む、態様１に記載のプロセス。
４．  少なくとも１つの前記マイクロレンズの前記主軸線及び前記焦点距離の少なくとも１つが、少なくとも１つの他の前記マイクロレンズと異なる、態様１に記載のプロセス。
５．  前記マイクロレンズの少なくとも大部分が、非球形状である、態様１に記載のプロセス。
６．  前記マイクロレンズの少なくとも大部分が、１ミリメートル未満の直径と、１０未満のｆ数と、作動波長の半分未満の平均表面粗さとを有する、態様１に記載のプロセス。
７．  前記複数個のマイクロレンズが、５０〜１００パーセントの範囲内のフィルファクタを有する、態様１に記載のプロセス。
８．  前記マイクロレンズの少なくとも大部分が、放射状に対称である、態様１に記載のプロセス。
９．  前記複数個のマイクロレンズが、前記主軸線の非対称変化を示す、態様４に記載のプロセス。
１０．  前記複数個のマイクロレンズが、前記主軸線の対称変化を示す、態様４に記載のプロセス。
１１．  少なくとも１つの前記マイクロレンズが、アナモルフィックである、態様１に記載のプロセス。
１２．  前記反応性種が、硬化性種である、態様１に記載のプロセス。
１３．  前記反応性種が、非硬化性種である、態様１に記載のプロセス。
１４．  前記多光子光開始剤系が、光化学的有効量の（ａ）同時に少なくとも２つの光子を吸収できる少なくとも１つの多光子光増感剤と、（ｂ）所望により前記光増感剤の電子励起状態に電子を供与できる前記多光子光増感剤と異なる少なくとも１つの電子供与体と、（ｃ）前記光増感剤の電子励起状態から電子を受容することにより光増感され、少なくとも１つのフリーラジカル及び／又は酸を形成できる少なくとも１つの光開始剤と、を含む、態様１に記載のプロセス。
１５．  前記プロセスが、前記光反応性組成物を基材に供給し、前記組成物と前記基材の間に境界面を位置決めする工程を含む、態様１に記載のプロセス。
１６．  前記撮像的暴露が、所望の三次元マイクロレンズ構造体の複数個の平面スライスの少なくとも周辺を走査し、同時にスライス厚さ未満のマイクロレンズ表面粗さを実現するように前記スライス厚さを変化させることにより行われる、態様１に記載のプロセス。
１７．  前記プロセスが、一光子法を使用して行われる非撮像的暴露を含む、態様１に記載のプロセス。
１８．  前記複数個のマイクロレンズが、原型を含み、前記原型が、複製用のツールを製造するために使用される、態様１に記載のプロセス。
１９．  （ａ）光反応性組成物を提供する工程であって、前記光反応性組成物が、（１）酸又はラジカル開始化学反応を受けることが可能な少なくとも１つの硬化性種と、（２）光化学的有効量の（ｉ）フルオレセインより大きい二光子吸収断面を有する多光子光増感剤、（ｉｉ）所望によりアルキルアリールホウ酸塩類、三級芳香族アルキルアミン類及びこれらの混合物から選択される少なくとも１つの電子供与体、及び（ｉｉｉ）ヨードニウム塩類、スルホニウム塩類及びこれらの混合物から選択される少なくとも１つの光開始剤、とを包含する少なくとも１つの多光子光開始剤系を含む、工程と、（ｂ）前記組成物の少なくとも一部を少なくとも２つの光子を同時に吸収させるのに十分な光に撮像的に暴露する工程であって、これにより少なくとも１つの酸又はラジカル開始化学反応を誘導し、前記組成物が、前記光に曝露され、前記撮像的暴露が、少なくとも１つの非球形状マイクロレンズを含む複数個のマイクロレンズの少なくとも表面を画定するのに有効なパターンで行われ、前記マイクロレンズのそれぞれが、主軸線及び焦点距離を有し、少なくとも１つのマイクロレンズの前記主軸線及び前記焦点距離の少なくとも１つが、少なくとも１つの他の前記マイクロレンズと異なる、撮像的暴露工程と、（ｃ）前記組成物の生じた非暴露部分の少なくとも一部を除くことにより前記組成物を顕色する工程と、を含むプロセス。
２０．  前記組成物の少なくとも一部を撮像的に暴露し、前記組成物を顕色した後、前記プロセスが、前記組成物の少なくとも一部を前記光反応性組成物の任意の残りの非暴露部分の少なくとも一部の反応を行うのに十分な光に非撮像的に暴露する工程を含む、態様１９に記載のプロセス。
２１．  前記プロセスが、前記光反応性組成物を基材に供給する工程、及び前記組成物と前記基材の間に境界面を位置決めする工程を更に含み、前記撮像的暴露が、所望の三次元マイクロレンズ構造体の複数個の平面スライスの少なくとも周辺を走査し、同時にスライス厚さ未満のマイクロレンズ表面粗さを実現するように前記スライス厚さを変化させることにより行われる、態様１９に記載のプロセス。
２２．  マイクロレンズの少なくとも１つが非球形状であり、前記マイクロレンズのそれぞれが主軸線を有し、少なくとも１つの前記マイクロレンズの前記主軸線が少なくとも１つの他の前記マイクロレンズと異なる、複数個のマイクロレンズ。
２３．  前記マイクロレンズの少なくとも大部分が、非球形状である、態様２２に記載の複数個のマイクロレンズ。
２４．  前記マイクロレンズの少なくとも大部分が、１ミリメートル未満の直径を有する、態様２２に記載の複数個のマイクロレンズ。
２５．  前記マイクロレンズの少なくとも大部分が、１０未満のｆ数を有する、態様２２に記載の複数個のマイクロレンズ。
２６．  前記マイクロレンズの少なくとも大部分が、操作波長の半分未満の平均表面粗さを有する、態様２２に記載の複数個のマイクロレンズ。
２７．  前記複数個のマイクロレンズが、５０〜１００パーセントの範囲内のフィルファクタを有する、態様２２に記載の複数個のマイクロレンズ。
２８．  前記複数個のマイクロレンズが、前記主軸線の非対称変化を示す、態様２２に記載の複数個のマイクロレンズ。
２９．  前記複数個のマイクロレンズが、前記主軸線の対称変化を示す、態様２２に記載の複数個のマイクロレンズ。
３０．  前記マイクロレンズの少なくとも１つが、アナモルフィックである、態様２２に記載の複数個のマイクロレンズ。
３１．  前記マイクロレンズの少なくとも大部分が、主軸線と、１ミリメートル未満の直径と、１０未満のｆ数を有し、前記複数個のマイクロレンズが、５０〜１００パーセントの範囲内のフィルファクタを有し及び前記主軸線の対称変化を示す、複数個の非球形状マイクロレンズ。
本発明のこれら及びその他の特徴、態様及び利益は、次の説明、添付した請求項及び添付図面でよりよく理解されるであろう。